(57)【要約】【課題】  携帯電話端末を利用することで、一般的なテレビ受像機を用い、かつ、サーバに負荷をかけることなくザッピングを行う。【解決手段】  チャンネル情報共有装置（コンテンツサーバ３）は、携帯電話端末１からグルーピングされたユーザのグループ登録情報を受信して登録する。そして、サイト運営者からチャンネル情報を受信してグループを検索し、グルーピングのユーザの携帯電話端末に対してチャンネル切替え指示を同報送信する。このとき、合せてメッセージページも送信し、その回答を切替えるチャンネルの決定に反映させてもよい。【選択図】      図１
2005333401.tif 000002
【特許請求の範囲】
【請求項１】
携帯電話端末と通信ネットワークを介して接続されるチャンネル情報共有装置であって、
グルーピングされたユーザのグループ情報を記憶する記憶装置と、
チャンネル切替が必要であるとの指示を受け付けるチャンネル情報切替指示部と、
チャンネル切替えが必要との指示を受け付けたときに、前記記憶装置に記憶されているグループ情報を参照して前記切替対象のグループのユーザ情報を検索するグループ情報検索部と、
検索結果から得られるユーザの携帯電話端末に対して前記切替えるチャンネルに相当するチャンネル情報を同報送信してチャンネルの切替え指示を行うチャンネル情報同報送信部と、
を具備することを特徴とするチャンネル情報共有装置。
【請求項２】
前記グループに所属するユーザからメッセージを取得するためのメッセージを作成して送信するメッセージ作成送信部と、
を具備することを特徴とする請求項１に記載のチャンネル情報共有装置。
【請求項３】
前記メッセージ作成送信部によって生成されるメッセージは、前記チャンネル情報同報送信部によって同報送信されるチャンネル情報と同期して送信されることを特徴とする請求項目２に記載のチャンネル情報共有装置。
【請求項４】
グルーピングされたユーザのグループ情報を内部に記憶し、チャンネル切替が必要であるとの指示を受け付け、チャンネル切替えが必要との指示を受け付けたときに内部に記憶しているグループ情報を参照して前記切替対象のグループのユーザ情報を検索し、検索結果から得られるユーザ情報に従って前記切替えるチャンネルに相当するチャンネル情報を同報送信してチャンネルの切替え指示を行うチャンネル情報共有装置と、
前記チャンネル情報共有装置から送信されたチャンネル情報を受信し、当該チャンネル情報に基づいて、テレビ受像機にチャンネル信号を出力する携帯電話端末と、
を有するチャンネル情報共有システム。
【請求項５】
チャンネル情報共有装置による監視の下、複数ユーザ間で携帯電話端末を用いてチャンネル情報を共有するチャンネル情報共有方法であって、
前記チャンネル情報共有装置がチャンネル切替が必要であるとの指示を受け付けるステップと、
前記チャンネル情報共有装置がチャンネル切替えが必要との指示を受け付けたときに内部に記憶しているグループ情報を参照して前記切替対象のグループのユーザ情報を検索するステップと、
前記チャンネル情報共有装置が検索結果から得られるユーザの前記携帯電話端末に対して前記切替えるチャンネルに相当するチャンネル情報を同報送信して切替え指示を行うステップと、
前記携帯電話端末がチャンネル情報を受信し、当該チャンネル情報に基づいて、テレビ受像機にチャンネル信号を出力するステップと、
を有することを特徴とするチャンネル情報共有方法。
【請求項６】
複数ユーザ間で携帯電話端末を用いてチャンネル情報を共有するチャンネル共有装置に用いられるプログラムであって、
チャンネル切替が必要であるとの指示を受け付ける処理と、
前記チャンネル情報共有装置がチャンネル切替えが必要との指示を受け付けたときに内部に記憶しているグループ情報を参照して前記切替対象のグループのユーザ情報を検索する処理と、
前記チャンネル情報共有装置が検索結果から得られるユーザの前記携帯電話端末に対して前記切替えるチャンネルに相当するチャンネル情報を同報送信して切替え指示を行う処理と、
をコンピュータに実行させるプログラム。
【請求項７】
複数ユーザ間で携帯電話端末を用いてチャンネル情報を共有するチャンネル共有装置に用いられるプログラムを記録したコンピュータ読み取り可能な記録媒体であって、
チャンネル切替が必要であるとの指示を受け付ける処理と、
前記チャンネル情報共有装置がチャンネル切替えが必要との指示を受け付けたときに内部に記憶しているグループ情報を参照して前記切替対象のグループのユーザ情報を検索する処理と、
前記チャンネル情報共有装置が検索結果から得られるユーザの前記携帯電話端末に対して前記切替えるチャンネルに相当するチャンネル情報を同報送信して切替え指示を行う処理と、
をコンピュータに実行させるプログラムを記録した記録媒体。
【発明の詳細な説明】
【技術分野】
【０００１】
本発明は、複数ユーザ間で携帯電話端末を用いてチャンネル情報を共有する、チャンネル情報共有装置およびシステム、ならびにチャンネル情報共有方法、プログラム、記録媒体に関する。
【背景技術】
【０００２】
近年、地上波によるテレビ放送に加え、ケーブルテレビ、衛星を利用したＢＳ、ＣＳ衛星放送等、様々な放送ネットワークが出現してきている。このため、視聴者の見たい番組を選択する選択肢が増えてきている。
ところで、ザッピングによるチャンネル選択方式は、番組と視聴者の出会いを作るうえで効果的な手法である。
【０００３】
ところで、一般的なザッピングによれば、視聴者が本来視聴したい番組あるいはチャンネルがあっても、ザッピングの過程でそのチャンネルに遭遇しないことがあり、見逃す可能性がある。また、グループで視聴する場合、グループ間で人気の番組であっても一般的なザッビングではそれらを客観的に把握することができず、このため、最適なチャンネル選択手段とはなりえない。
このため、視聴者の嗜好をその視聴履歴から推定し、視聴者に対して特定のチャンネルあるいは番組への選択を推奨する、あるいは制御するシステムが提案されている（例えば、特許文献１参照）。
【特許文献１】特開２００３−１８９３３３号公報
【発明の開示】
【発明が解決しようとする課題】
【０００４】
上記した特許文献１に開示された技術によれば、テレビ視聴者の嗜好を細かく分類し、特定嗜好の視聴者グループがどの番組を視聴しているかを把握したうえで、同じ嗜好の別の視聴者にも同じ番組が速やかに視聴できるように、推奨、もしくは制御することができる。
しかしながら、そのためにテレビ受像機は視聴者の過去の視聴履歴、あるいは現在を含む将来の視聴状況をサーバに通知し、サーバで特定の視聴グループが現在または将来どの番組を主に視聴するかを多数決で判断してテレビ受像機を制御する必要がある。このため。専用のテレビ受像機を必要とし、かつ、サーバの負荷が大きいといった欠点を有する。
【０００５】
本発明は上記事情に基づきなされたものであり、携帯電話端末を利用することで、一般的なテレビ受像機を用い、かつ、サーバに負荷をかけることなくザッピングを行い、例えば、生放送的なコンテンツで、携帯サイトが生放送参加ユーザ宅のテレビチャンネルを動的に変更することのできる、チャンネル情報共有装置およびシステム、ならびにチャンネル情報共有方法、プログラム、記録媒体を提供することを目的とする。
【課題を解決するための手段】
【０００６】
上記した課題を解決するために本発明の一実施形態は、携帯電話端末と通信ネットワークを介して接続されるチャンネル情報共有装置であって、グルーピングされたユーザのグループ情報を記憶する記憶装置と、チャンネル切替が必要であるとの指示を受け付けるチャンネル情報切替指示部と、チャンネル切替えが必要との指示を受け付けたときに、前記記憶装置に記憶されているグループ情報を参照して前記切替対象のグループのユーザ情報を検索するグループ情報検索部と、検索結果から得られるユーザの携帯電話端末に対して前記切替えるチャンネルに相当するチャンネル情報を同報送信してチャンネルの切替え指示を行うチャンネル情報同報送信部と、を具備することを特徴とするチャンネル情報共有装置である。
【０００７】
また、本発明の一実施形態において、前記グループに所属するユーザからメッセージを取得するためのメッセージを作成して送信するメッセージ作成送信部と、を具備することを特徴とする。
【０００８】
また、本発明の一実施形態において、前記メッセージ作成送信部によって生成されるメッセージは、前記チャンネル情報同報送信部によって同報送信されるチャンネル情報と同期して送信されることを特徴とする。
【０００９】
また、本発明の一実施形態は、グルーピングされたユーザのグループ情報を内部に記憶し、チャンネル切替が必要であるとの指示を受け付け、チャンネル切替えが必要との指示を受け付けたときに内部に記憶しているグループ情報を参照して前記切替対象のグループのユーザ情報を検索し、検索結果から得られるユーザ情報に従って前記切替えるチャンネルに相当するチャンネル情報を同報送信してチャンネルの切替え指示を行うチャンネル情報共有装置と、前記チャンネル情報共有装置から送信されたチャンネル情報を受信し、当該チャンネル情報に基づいて、テレビ受像機にチャンネル信号を出力する携帯電話端末と、を有するチャンネル情報共有システムである。
【００１０】
また、本発明の一実施形態は、チャンネル情報共有装置による監視の下、複数ユーザ間で携帯電話端末を用いてチャンネル情報を共有するチャンネル情報共有方法であって、
前記チャンネル情報共有装置がチャンネル切替が必要であるとの指示を受け付けるステップと、前記チャンネル情報共有装置がチャンネル切替えが必要との指示を受け付けたときに内部に記憶しているグループ情報を参照して前記切替対象のグループのユーザ情報を検索するステップと、前記チャンネル情報共有装置が検索結果から得られるユーザの前記携帯電話端末に対して前記切替えるチャンネルに相当するチャンネル情報を同報送信して切替え指示を行うステップと、前記携帯電話端末がチャンネル情報を受信し、当該チャンネル情報に基づいて、テレビ受像機にチャンネル信号を出力するステップと、を有することを特徴とするチャンネル情報共有方法である。
【００１１】
また、本発明の一実施形態は、複数ユーザ間で携帯電話端末を用いてチャンネル情報を共有するチャンネル共有装置に用いられるプログラムであって、チャンネル切替が必要であるとの指示を受け付ける処理と、前記チャンネル情報共有装置がチャンネル切替えが必要との指示を受け付けたときに内部に記憶しているグループ情報を参照して前記切替対象のグループのユーザ情報を検索する処理と、前記チャンネル情報共有装置が検索結果から得られるユーザの前記携帯電話端末に対して前記切替えるチャンネルに相当するチャンネル情報を同報送信して切替え指示を行う処理と、をコンピュータに実行させるプログラムである。
【００１２】
また、本発明の一実施形態は、複数ユーザ間で携帯電話端末を用いてチャンネル情報を共有するチャンネル共有装置に用いられるプログラムを記録したコンピュータ読み取り可能な記録媒体であって、チャンネル切替が必要であるとの指示を受け付ける処理と、前記チャンネル情報共有装置がチャンネル切替えが必要との指示を受け付けたときに内部に記憶しているグループ情報を参照して前記切替対象のグループのユーザ情報を検索する処理と、前記チャンネル情報共有装置が検索結果から得られるユーザの前記携帯電話端末に対して前記切替えるチャンネルに相当するチャンネル情報を同報送信して切替え指示を行う処理と、をコンピュータに実行させるプログラムを記録した記録媒体である。
【発明の効果】
【００１３】
本発明によれば、携帯電話端末を利用することで、一般的なテレビ受像機を用い、かつ、サーバに負荷をかけることなくザッピングを行うことができ、例えば、生放送的なコンテンツで、携帯サイトが生放送参加ユーザ宅のテレビチャンネルを動的に変更することができる。また、適宜、番組の進行に連動して交換されるテキストやメールによるお便り等、インタラクテブなコンテンツの作成が可能になる。
【発明を実施するための最良の形態】
【００１４】
図１は、本発明の一実施形態に係わるチャンネル情報共有システムのシステム構成を説明するために引用した図である。
図１において、符号１は、携帯電話端末であり、赤外線によるチャンネルリモコン機能を持つ。携帯電話端末１が持つチャンネルリモコン機能については、例えば、特開２００３−７８９７７号公報により周知である。ここでは、携帯電話端末１は、ユーザのチャンネル指定に基づきテレビ受像機２にチャンネル信号を出力するとともに、コンテンツサーバ３に対してチャンネル情報を出力し、グルーピングされたユーザのグループ登録情報を作成し送信する機能を持つ。
なお、符号２は、放送番組が放映されるＴＶ受像機である。
【００１５】
符号３は、携帯サイトが管理する本発明のチャンネル情報共有装置として動作するコンテンツサーバであり、サイト運営者が、チャンネル変更が必要と判断したときに、携帯電話端末１によってグループ登録情報が登録された記憶装置（後述する）を参照して変更対象のグループを検索し、グルーピングされたユーザを検索して当該ユーザの携帯電話端末１に対してそのチャンネル情報を同報送信してチャンネル切替え指示を行う機能を持つ。このため、コンテンツサーバ３は、ＩＰ（Internet Protocol）網５ならびに携帯電話網６、そして、基地局７経由で携帯電話端末１に接続される。
符号４は、放送局に設置される放送システムであり、放送システム４は、放送番組を地上波等により家庭内のＴＶ受像機２に放映する。また、放送システム４は、ＩＰ網５を介してコンテンツサーバ３に接続され、両者間で時刻の同期や番組情報等のやりとりが行われても良い。
【００１６】
図２は、図１に示す本発明実施形態のチャンネル情報共有装置（コンテンツサーバ３）の内部構成を機能展開して示したブロック図である。
図２に示されるように、コンテンツサーバ３は、グループ（Ｇｒ．）登録情報受信部３１と、Ｇｒ．情報検索部３３と、Ｇｒ．情報取得部３４と、ＣＨ情報同報送信部３５と、Ｇｒ．情報データベース（ＤＢ）３６と、ＣＨ情報切替指示部３７と、メッセージ作成送信部３８、ページ情報受信表示部３９で構成される。
【００１７】
Ｇｒ．登録情報受信部３１は、携帯電話端末１からグルーピングされたユーザのＧｒ．登録情報を受信し、記憶装置であるＧｒ．情報ＤＢ３６に登録する機能を持つ。
Ｇｒ．情報検索部３３は、Ｇｒ．情報ＤＢ３６を参照してＣＨを切り替える対象となるグループを検索し、Ｇｒ．情報取得部３４を介してグルーピングされたユーザ情報を取得する。ＣＨを切り替える対象となるグループとは、例えば、サイト運営者が一つのグループのチャンネルの切り替えを管理するようにしている場合には、その管理しているグループであってもよく、また、例えば、サイト運営者が複数のグループについてチャンネルの切り替えを管理するようにしている場合には、その中のサイト運営者から指定されたグループであってもよい。また、ＣＨ情報同報送信部３５は、Ｇｒ．情報検索部３３により取得されたユーザ情報に対応するユーザの携帯電話端末１に対し、チャンネル情報を同報送信してチャンネルの切替え指示（ＣＨ変更情報）を行う機能を持つ。
【００１８】
ＣＨ情報切替え指示部３７は、サイト運営者がチャンネル切替え必要と判断したときにサイト運営者から切り替えるチャンネルの入力を受け付け、Ｇｒ．情報検索部３３を起動して登録されたグループ情報を参照して対象となるグループに所属するユーザ情報を検索し、ＣＨ情報同報送信部３５を制御して検索結果得られるユーザの携帯電話端末に対して切替えるべきチャンネルに相当するチャンネル情報を同報送信させる。
また、ページ作成送信部３８は、サイト運営者からグループに所属するユーザに対して送信するインタラクテブなコンテンツの入力を受け付ける。例えば、ＣＨＴＭＬ（Compact Hyper Text Markup Language）で作成されるメッセージページを送信する機能を持つ。ここで生成されるメッセージは、チャンネル情報同報送信部３５によって同報送信されるチャンネル情報と同期して送信されてもよい。ページ情報受信表示部３９は、ユーザの携帯電話端末１から送信されるページ情報を受信して表示する。取得されたページ情報中のメッセージによっては、あるいはその集計結果によってはサイト運営者による更なるチャンネル切替えがなされることもある。
【００１９】
図３は、図１に示す携帯電話端末１の内部構成を機能展開して示したブロック図である。図３に示されるように、携帯電話端末１は、Ｇｒ．登録情報作成部１１と、Ｇｒ．登録情報送信部１２と、ＣＨ指定部１３と、ＣＨ検出部１４と、ＣＨ信号出力１５部と、ページ受信部１７と、ページ作成部と１８、ページ送信部１９で構成される。
Ｇｒ．登録情報作成部１１は、ユーザ入力に基づき、グルーピングされたユーザのグループ登録情報を作成する機能を持ち、Ｇｒ．登録情報送信部１２は、これをＩＰ網５経由でコンテンツサーバ３へ送信する機能を持つ。登録情報作成部１１と、Ｇｒ．登録情報送信部１２は、例えば、メッセンジャが持つグルーピング機能を用い、電話帳リスト、あるいはグループ指定を行うユーザのメールアドレスを入力することで実現される。
【００２０】
なお、ページ受信部１７は、コンテンツサーバ３によって送信されるメッセージページを受信する機能を持つ。また、ページ作成部１８は、受信したメッセージページが示す内容によっては、ユーザにより回答のために入力されるメッセージを取り込み、新たにメッセージを作成する機能を持ち、ページ送信部１９を介して作成したメッセージを送信する機能を持つ。ここで、コンテンツサーバ３から送信されるメッセージページとしては、インタラクテブなコンテンツを作るための質問やアンケート等が考えられる。
【００２１】
一方、ＣＨ指定部１３は、各種キーにより構成され、ユーザからＴＶ受像機２に対する各種指示、例えば、電源のＯＮやＯＦＦ、チャンネル変更等の指示を受付ける。そして、ＣＨ検出部１４を介してＣＨが検出され、ＣＨ信号出力部１５は、検出されたＣＨに相当する赤外線信号を生成してＴＶ受像機２へ送信する。
【００２２】
図４は、本発明実施形態に係わるチャンネル情報共有システムの動作を示す動作シーケンス図である。ここでは、携帯電話端末１とコンテンツサーバ３間の関係が示されている。
図４において、携帯電話端末１は、まず、コンテンツサーバ３に対してグルーピングしたユーザのＧｒ．登録情報を作成し、送信する（Ｓ４１）。これに対し、サイト運営者は、グループメンバに対し、自らが視聴する、あるいは視聴している番組に切替えるようにコンテンツサーバ３に指示し、コンテンツサーバ３は、グループに属する各携帯電話端末１（Ａ、Ｂ、Ｃ）に対しそのＣＨ情報を同報送信してチャンネル変更を指示する（Ｓ４２）。このとき、コンテンツサーバ３は、ユーザに対して、例えば質問メッセージを送るための質問ページを作成し、同報送信してもよい。
【００２３】
続いて、チャンネル変更指示、および質問ページを受信したグループに属する携帯電話１（Ａ、Ｂ、Ｃ）は、質問に対する回答ページを送信する（Ｓ４３）。これを閲覧したサイト運営者は、コンテンツサーバ３を制御して、所定のグループに属する携帯電話端末１（Ａ、Ｂ、Ｃ）に対し更なるＣＨ切替え指示を送信することがある（Ｓ４４）。ＣＨ切替え指示を受信した携帯電話端末１は、リモコン機能によりそのＣＨ情報に相当する赤外線信号をＴＶ受像機２へ出力し、このことによりＣＨの切替えが実行される。
なお、上記説明は、生放送的なコンテンツでサイト運営者が生放送参加のユーザ宅のチャンネルを切替えるシーンを想定した。このとき、両者の間でメッセージをインタラクテブに交換することで、サイト運営者が決定するチャンネルに反映させることができる。
【００２４】
図５にＧｒ．情報ＤＢ３６のデータ構造の一例が示されている。図５に示されるように、グループ毎、所属するユーザのリストが登録される構成になっている。なお、Ｇｒ．登録情報は、ユーザが自身で所持する携帯電話端末１を操作して作成しても、あるいはコンテンツサーバ３がユーザの指示に基づいて作成してもよい。
この場合、１のユーザの携帯電話端末１からグループに含める他のユーザの指定を受け付けてグループ登録するようにしてもよく、各ユーザの携帯電話端末１から所属したい所定のグループの指定を受け付けてグループ登録するようにしてもよい。
【００２５】
図６、図７は、それぞれ、本発明一実施形態に係わるコンテンツサーバ３、携帯電話端末１の処理手順を示すフローチャートである。図６は、本発明実施形態のプログラムの処理手順も併せて示してある。以下、図６、図７に示すフローチャートを参照しながら本発明実施形態の動作について詳細に説明する。
ここでは、ユーザが携帯電話端末１のアプリケーションプログラム（以下、単にアプリという）を起動することによって、Ｇｒ．登録、ならびにＣＨ変更動作が可能になるものとする。
まず、携帯電話端末１は、ユーザによりアプリが起動された後（図７、Ｓ７１）、グループ登録のための入力を行う（Ｓ７２）。グループ登録入力は、例えば、メッセンジャのグルーピング機能を利用するものとし、ここで、ユーザＡは、自身が属するグループ、およびグループメンバの登録のための入力を行うものとする。Ｇｒ．登録情報作成部１１を介して作成され、取り込まれたＧｒ．登録情報（例えば、ユーザＡはＧｒ．１に属し、他のグループメンバは、Ｂ、Ｃ、Ｄである）は、Ｇｒ．登録情報送信部１２によりコンテンツサーバ３へ送信される（Ｓ７３、Ｓ７４）。
【００２６】
コンテンツサーバ３は、携帯電話端末１から送信されるＧｒ．登録情報を、Ｇｒ．登録情報受信部３１を介して受信し（図６、Ｓ６１）、Ｇｒ．情報ＤＢ３６に格納する（Ｓ６２）。続いて、サイト運営者によるＣＨ切替え指示を持つ（Ｓ６３）。
グループメンバに対し、自らが視聴する、あるいは視聴している番組を視聴させる場合、サイト運営者は、例えば、ボタン押下により、ＣＨ情報切替え指示部３７を起動し、そのＣＨ情報を通知すると共に、送信すべき視聴グループのチェックを行う。視聴グループのチェックは、Ｇｒ．情報検索部３３により行われる。Ｇｒ．情報検索部３３がＧｒ．情報ＤＢ３６を検索し（Ｓ６４）、Ｇｒ．情報取得部３４により、例えば、Ｇｒ．１が出力されたとする（Ｓ６５）。このとき、ＣＨ情報同報送信部３５は、Ｇｒ．情報取得部３４によって取得されたＧｒ．１に属するユーザＡ、Ｂ、Ｃ、Ｄに対し、サイト運営者によって指示されるＣＨ情報を同報送信する（Ｓ６６）。
【００２７】
なお、コンテンツサーバ３がＣＨ情報を同報送信する際、そのユーザグループに対してメッセージを送る場合は、メッセージ作成送信部３８でそのメッセージページを作成し、ユーザグループの個々のユーザが持つ携帯電話端末１へ送信する。このメッセージページを、ページ受信部１７を介して受信した携帯電話端末１は（Ｓ７８）、ページ作成部１８を介しユーザによって作成される回答ページを、ページ送信部１９を介してコンテンツサーバ３へ送信する（Ｓ７９）。
コンテンツサーバ３でその回答メッセージを受信した場合（Ｓ６９）、サイト運営者は、そのメッセージを確認し、その内容によっては再度ＣＨ切替えを行う場合がある（Ｓ６３）。
上記したＣＨ情報を受信した携帯電話端末１は（Ｓ７６）、ＣＨ信号出力部１５によりそのＣＨに相当する赤外線信号を出力し、このことにより、ＴＶ受像機２のチャンネルの切替えが実行される（Ｓ７７）。以上の動作は、ユーザによりアプリが終了されるまで継続される（Ｓ７５）。
【００２８】
以上説明のように本発明は、携帯電話端末を利用することで、一般的なテレビ受像機を用い、かつ、サーバに負荷をかけることなくザッピングを行うものであり、このことにより、例えば、生放送的なコンテンツで、携帯サイトが生放送参加ユーザ宅のテレビチャンネルを動的に変更することができる。また、適宜、番組の進行に連動して交換されるテキストやメールによるお便り等、インタラクテブなコンテンツの作成が可能になる。
【００２９】
なお、図２に示す、Ｇｒ．登録情報受信部３１と、ＣＨ情報受信部３２と、Ｇｒ．情報検索部３３と、Ｇｒ．情報取得部３４と、ＣＨ情報同報送信部３５と、ＣＨ情報切替え指示部３７と、メッセージ作成送信部３８のそれぞれで実行される手順を含むプログラムをコンピュータ読み取り可能な記録媒体に記録し、この記録媒体に記録されたプログラムを、コンピュータシステムを含むコンテンツサーバ３に読み込ませ、実行することによって本発明のチャンネル情報共有装置を実現することができる。ここでいうコンピュータシステムとは、ＯＳや周辺機器等のハードウェアを含む。
【００３０】
また、「コンピュータシステム」は、ＷＷＷシステムを利用している場合であれば、ホームページ提供環境（あるいは表示環境）も含むものであってもよい。また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３２】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３３】
【図１】本発明実施形態に係わるチャンネル情報共有システムのシステム構成の一例を示す図である。
【図２】本発明実施形態に係わるコンテンツサーバの内部構成を機能展開して示したブロック図である。
【図３】本発明実施形態に係わる携帯電話端末の内部構成を機能展開して示したブロック図である。
【図４】本発明実施形態に係わるチャンネル情報共有システムの動作シーケンス図である。
【図５】本発明実施形態において使用されるグループ情報データベースのデータ構造の一例を示す図である。
【図６】本発明実施形態に係わるコンテンツサーバの処理の流れを示すフローチャートである。
【図７】本発明実施形態に係わる携帯電話端末の処理の流れを示すフローチャートである。
【符号の説明】
【００３４】
１…携帯電話端末、２…ＴＶ受像機、３…コンテンツサーバ（チャンネル情報共有装置）、４…放送システム、５…ＩＰ網、６…携帯電話網、３１…Ｇｒ．登録情報受信部、３２…ＣＨ情報受信部、３３…Ｇｒ．情報検索部、３４…Ｇｒ．情報取得部、３５…ＣＨ情報同報送信部、３６…Ｇｒ．情報ＤＢ、３７…ＣＨ情報切替指示部、３８…メッセージ作成部
【図１】
2005333401.tif 000003
【図２】
2005333401.tif 000004
【図３】
2005333401.tif 000005
【図４】
2005333401.tif 000006
【図５】
2005333401.tif 000007
【図６】
2005333401.tif 000008
【図７】
2005333401.tif 000009
【手続補正書】
【提出日】平成16年8月6日(2004.8.6)
【手続補正１】
【補正対象書類名】特許請求の範囲
【補正対象項目名】全文
【補正方法】変更
【補正の内容】
【特許請求の範囲】
【請求項１】
携帯電話端末と通信ネットワークを介して接続されるチャンネル情報共有装置であって、
グルーピングされたユーザのグループ情報を記憶する記憶手段と、
チャンネル切替が必要であるとの指示を受け付けるチャンネル情報切替指示手段と、
チャンネル切替えが必要との指示を受け付けたときに、前記記憶装置に記憶されているグループ情報を参照して前記切替対象のグループのユーザ情報を検索するグループ情報検索手段と、
検索結果から得られるユーザの携帯電話端末に対して前記切替えるチャンネルに相当するチャンネル情報を同報送信してチャンネルの切替え指示を行うチャンネル情報同報送信手段と、
を具備することを特徴とするチャンネル情報共有装置。
【請求項２】
前記チャンネル情報切替指示手段は、サイト運営者から前記チャンネル切替が必要との指示を受け付けることを特徴とする請求項１に記載のチャンネル情報共有装置。
【請求項３】
前記グループに所属するユーザからメッセージを取得するためのメッセージを作成して送信するメッセージ作成送信手段と、
を具備することを特徴とする請求項１または２に記載のチャンネル情報共有装置。
【請求項４】
前記メッセージ作成送信手段によって生成されるメッセージは、前記チャンネル情報同報送信手段によって同報送信されるチャンネル情報と同期して送信されることを特徴とする請求項３に記載のチャンネル情報共有装置。
【請求項５】
グルーピングされたユーザのグループ情報を内部に記憶し、チャンネル切替が必要であるとの指示を受け付け、チャンネル切替えが必要との指示を受け付けたときに内部に記憶しているグループ情報を参照して前記切替対象のグループのユーザ情報を検索し、検索結果から得られるユーザ情報に従って前記切替えるチャンネルに相当するチャンネル情報を同報送信してチャンネルの切替え指示を行うチャンネル情報共有装置と、
前記チャンネル情報共有装置から送信されたチャンネル情報を受信し、当該チャンネル情報に基づいて、テレビ受像機にチャンネル信号を出力する携帯電話端末と、
を有するチャンネル情報共有システム。
【請求項６】
チャンネル情報共有装置による監視の下、複数ユーザ間で携帯電話端末を用いてチャンネル情報を共有するチャンネル情報共有方法であって、
前記チャンネル情報共有装置がチャンネル切替が必要であるとの指示を受け付けるステップと、
前記チャンネル情報共有装置がチャンネル切替えが必要との指示を受け付けたときに内部に記憶しているグループ情報を参照して前記切替対象のグループのユーザ情報を検索するステップと、
前記チャンネル情報共有装置が検索結果から得られるユーザの前記携帯電話端末に対して前記切替えるチャンネルに相当するチャンネル情報を同報送信して切替え指示を行うステップと、
前記携帯電話端末がチャンネル情報を受信し、当該チャンネル情報に基づいて、テレビ受像機にチャンネル信号を出力するステップと、
を有することを特徴とするチャンネル情報共有方法。
【請求項７】
複数ユーザ間で携帯電話端末を用いてチャンネル情報を共有するチャンネル共有装置に用いられるプログラムであって、
チャンネル切替が必要であるとの指示を受け付ける処理と、
前記チャンネル情報共有装置がチャンネル切替えが必要との指示を受け付けたときに内部に記憶しているグループ情報を参照して前記切替対象のグループのユーザ情報を検索する処理と、
前記チャンネル情報共有装置が検索結果から得られるユーザの前記携帯電話端末に対して前記切替えるチャンネルに相当するチャンネル情報を同報送信して切替え指示を行う処理と、
をコンピュータに実行させるプログラム。
【手続補正３】
【補正対象書類名】明細書
【補正対象項目名】０００１
【補正方法】変更
【補正の内容】
【０００１】
本発明は、複数ユーザ間で携帯電話端末を用いてチャンネル情報を共有する、チャンネル情報共有装置およびシステム、ならびにチャンネル情報共有方法、プログラムに関する。
【手続補正４】
【補正対象書類名】明細書
【補正対象項目名】０００５
【補正方法】変更
【補正の内容】
【０００５】
本発明は上記事情に基づきなされたものであり、携帯電話端末を利用することで、一般
的なテレビ受像機を用い、かつ、サーバに負荷をかけることなくザッピングを行い、例え
ば、生放送的なコンテンツで、携帯サイトが生放送参加ユーザ宅のテレビチャンネルを動
的に変更することのできる、チャンネル情報共有装置およびシステム、ならびにチャンネ
ル情報共有方法、プログラムを提供することを目的とする。
【手続補正５】
【補正対象書類名】明細書
【補正対象項目名】０００６
【補正方法】変更
【補正の内容】
【０００６】
上記した課題を解決するために本発明の一実施形態は、携帯電話端末と通信ネットワークを介して接続されるチャンネル情報共有装置であって、グルーピングされたユーザのグループ情報を記憶する記憶手段と、チャンネル切替が必要であるとの指示を受け付けるチャンネル情報切替指示手段と、チャンネル切替えが必要との指示を受け付けたときに、前記記憶装置に記憶されているグループ情報を参照して前記切替対象のグループのユーザ情報を検索するグループ情報検索手段と、検索結果から得られるユーザの携帯電話端末に対して前記切替えるチャンネルに相当するチャンネル情報を同報送信してチャンネルの切替え指示を行うチャンネル情報同報送信手段と、を具備することを特徴とするチャンネル情報共有装置である。
【手続補正６】
【補正対象書類名】明細書
【補正対象項目名】０００７
【補正方法】変更
【補正の内容】
【０００７】
また、本発明の一実施形態において、前記チャンネル情報切替指示手段は、サイト運営者から前記チャンネル切替が必要との指示を受け付けることを特徴としてもよい。
また、本発明の一実施形態において、前記グループに所属するユーザからメッセージを
取得するためのメッセージを作成して送信するメッセージ作成送信手段と、を具備することを特徴とする。
【手続補正７】
【補正対象書類名】明細書
【補正対象項目名】０００８
【補正方法】変更
【補正の内容】
【０００８】
また、本発明の一実施形態において、前記メッセージ作成送信手段によって生成されるメッセージは、前記チャンネル情報同報送信手段によって同報送信されるチャンネル情報と同期して送信されることを特徴とする。
【手続補正８】
【補正対象書類名】明細書
【補正対象項目名】００１２
【補正方法】削除
【補正の内容】